(57)【要約】　　　（修正有）【課題】アナログテレビ放送からデジタルテレビ放送への切換え過程において、アナログ放送とデジタル放送が混在する時期がある。このとき、デジタル局の新規開局・周波数変更など、チャネルマップの変更が頻繁に行なわれる。テレビの視聴者は、チャネルマップの変更がある度にチャネルサーチを行い、チャネルマップデータの変更を行なう必要がある。しかし、デジタルチャネルのサーチは、アナログチャネルに比べて長時間を必要とするため、より短時間でのサーチが求められる。これらの課題を解決し、チャネルアップの取得を効率よく行える受信機を提供する。【解決手段】２つのチューナを用い、第１のチューナは受信チャネルの最高周波数側から、第２のチューナは受信チャネルの最低周波数側から順に判定を行っていき、全チャネルのサーチを行う。放送チャネル分布の片寄りによらず、常に短時間でサーチを終了できる。【選択図】図１
2004112079.tif 000002
【特許請求の範囲】
【請求項１】
テレビ放送信号を受信する放送受信部と、各放送チャネルと放送種別を関連付けたチャネルマップデータを記憶するメモリを有し、該放送受信部が、複数のデジタル受信部を含んでいて、該チャネルマップデータは、該放送受信部を用いて各チャネルをサーチすることで作成及び／又は更新することができ、
上記各デジタル受信部は、全ての放送チャネルを夫々異なる順にサーチして、各チャネル毎にデジタル放送の周波数を判断するための各デジタル判断部を有し、該各デジタルチャネルサーチの結果として上記チャネルマップデータ上に該デジタル放送に関する情報を記憶する事を特徴とする放送受信装置。
【請求項２】
テレビ放送信号を受信する放送受信部と、各放送チャネルと放送種別を関連付けたチャネルマップデータを記憶するメモリを有し、該放送受信部が、第一デジタル受信部と第二デジタル受信部を含んでいて、該チャネルマップデータは、該放送受信部を用いて各チャネルをサーチすることで作成及び／又は更新することができ、
第一デジタル受信部は、全ての放送チャネルを順にサーチして、各チャネル毎にデジタル放送の周波数を判断するための第一デジタル判断部を有し、該第一デジタルチャネルサーチの結果として上記チャネルマップデータ上に該デジタル放送に関する情報を記憶し、
第二デジタル受信部は、全ての放送チャネルを上記第一デジタル受信部とは異なる順序でサーチして、各チャネル毎にデジタル放送の周波数を判断するための第二デジタル判断部を有し、該第二デジタルチャネルサーチの結果として上記チャネルマップデータ上に該デジタル放送に関する情報を記憶する事を特徴とする放送受信装置。
【請求項３】
上記第一デジタル受信部は、低周波チャネルから昇順に、上記第二デジタル受信部は、高周波チャネルから降順にチャネルサーチを行なう事を特徴とする請求項２に記載の放送受信装置。
【請求項４】
上記第一デジタルチャネルサーチ及び上記第二デジタルチャネルサーチの結果は、各チャネル毎に順次判断結果が得られ、一つのチャネルの判断結果が得られる度に、上記チャネルマップデータにチャネル情報を記憶する事を特徴とする請求項３に記載の放送受信装置。
【請求項５】
上記両デジタルチャネルサーチにおいて、サーチしようとするチャネルに関するチャネルマップデータを参照し、該チャネルが既に他方のデジタル判断部によりサーチされ、該結果が記憶されている場合、該チャネルサーチを終了する事を特徴とする請求項４に記載の放送受信装置。
【請求項６】
上記両デジタル受信部が、受信チャネルを選定するデジタルチューナと選定されたチャネルの信号を復調するデジタル復調器及びＴＳデータ信号を分離処理するＴＳデコーダを含み、デジタル判断部が、デジタル復調器が受信信号の同期を確立できるか否かによってデジタル放送の有無を判定する事を特徴とする請求項２乃至５に記載の放送受信装置。
【請求項７】
上記デジタル受信部のうちの一方を使用して放送を視聴又は記録している場合、同時にもう一方の受信部を動作させて上記チャネルサーチを行い、上記チャネルマップデータを更新する事を特徴とする請求項２乃至６に記載の放送受信装置。
【請求項８】
テレビ放送信号を受信する放送受信部と、各放送チャネルと放送種別を関連付けたチャネルマップデータを記憶するメモリを有し、該放送受信部が、複数のデジタル受信部を含んでいて、該チャネルマップデータは、該放送受信部を用いて各チャネルをサーチすることで作成及び／又は更新することができ、
上記各デジタル受信部は、全ての放送チャネルを夫々異なる順にサーチして、各チャネル毎にデジタル放送の周波数を判断するための各デジタル判断部を有し、該各デジタルチャネルサーチの結果として上記チャネルマップデータ上に該デジタル放送に関する情報を記憶する事を特徴とする放送受信方法。
【請求項９】
テレビ放送信号を受信する放送受信部と、各放送チャネルと放送種別を関連付けたチャネルマップデータを記憶するメモリを有し、該放送受信部が、第一デジタル受信部と第二デジタル受信部を含んでいて、該チャネルマップデータは、該放送受信部を用いて各チャネルをサーチすることで作成及び／又は更新することができ、
第一デジタル受信部は、全ての放送チャネルを順にサーチして、各チャネル毎にデジタル放送の周波数を判断するための第一デジタル判断部を有し、該第一デジタルチャネルサーチの結果として上記チャネルマップデータ上に該デジタル放送に関する情報を記憶し、
第二デジタル受信部は、全ての放送チャネルを上記第一デジタル受信部とは異なる順序でサーチして、各チャネル毎にデジタル放送の周波数を判断するための第二デジタル判断部を有し、該第二デジタルチャネルサーチの結果として上記チャネルマップデータ上に該デジタル放送に関する情報を記憶する事を特徴とする放送受信方法。
【請求項１０】
上記第一デジタル受信部は、低周波チャネルから昇順に、上記第二デジタル受信部は、高周波チャネルから降順にチャネルサーチを行なう事を特徴とする請求項９に記載の放送受信方法。
【請求項１１】
上記第一デジタルチャネルサーチ及び上記第二デジタルチャネルサーチの結果は、各チャネル毎に順次判断結果が得られ、一つのチャネルの判断結果が得られる度に、上記チャネルマップデータにチャネル情報を記憶する事を特徴とする請求項１０に記載の放送受信方法。
【請求項１２】
上記両デジタルチャネルサーチにおいて、サーチしようとするチャネルに関するチャネルマップデータを参照し、該チャネルが既に他方のデジタル判断部によりサーチされ、該結果が記憶されている場合、該チャネルサーチを終了する事を特徴とする請求項１１に記載の放送受信方法。
【請求項１３】
上記両デジタル受信部が、受信チャネルを選定するデジタルチューナと選定されたチャネルの信号を復調するデジタル復調器及びＴＳデータ信号を分離処理するＴＳデコーダを含み、デジタル判断部が、デジタル復調器が受信信号の同期を確立できるか否かによってデジタル放送の有無を判定する事を特徴とする請求項７乃至１２に記載の放送受信方法。
【請求項１４】
上記デジタル受信部のうちの一方を使用して放送を視聴又は記録している場合、同時にもう一方の受信部を動作させて上記チャネルサーチを行い、上記チャネルマップデータを更新する事を特徴とする請求項９乃至１３に記載の放送受信方法。
【発明の詳細な説明】
【０００１】
【産業上の利用分野】
本発明は、次世代デジタルテレビジョン放送信号を受信する地上波放送受信装置と、そのチャンネル設定技術に関するものであり、特に２つのチューナを有するテレビデオなどの地上波放送受信装置に関する。
【０００２】
【従来の技術】
近年、地上波デジタルテレビジョンの開発が行われ、現行のアナログ放送からデジタル放送への移行がなされようとしている。その過渡期においては、デジタル局の新規開局・周波数変更など、チャンネルマップの変更が頻繁に行われることが予想され、効率的なチャネルサーチを行うことができることが受信機に求められている。
【０００３】
一方、受信に際してどのチャネル（周波数）で放送が行われているかをあらかじめ知っておくことでスムーズなチャネル選局を行なうことができる。放送されているチャネルは地域ごとに異なるため、受信機を設置する際には、全周波数チャネルにわたって、どのチャンネルで放送が行われているかをサーチし、そのチャネルマップを記憶しておくのが通常の方法である。
【０００４】
従って、デジタル放送用のチューナに対して全チャネルにわたって、順に選局指示を出し、チューナから正規の受信信号が得られたかどうかでそのチャネルにおいて放送がなされているかどうかを判定し、記憶する。
【０００５】
以下、図２により、受信機のチャネルサーチ動作について一例を説明する。
【０００６】
図２には、地上波デジタル放送に対応する放送受信機のシステム構成を示している。ここで、このシステムは、本体操作キー（３０２）もしくはリモコン（４０１）の操作キーを操作することで操作される。制御用マイコン（３００）は、リモコン（４０１）から無線送信された操作信号を受信するリモコン信号受信機（３０１）あるいは本体操作キー（３０２）を通じて操作信号による指示を受信する。そこで、使用者からチャネルサーチの指示を受けることで、チャネルサーチ動作を開始する。
【０００７】
まず、制御用マイコン（３００）は、デジタルチューナ１（１０１）に、放送が実施され得る最も低い周波数のチャンネルの選局指示を出し、地上波放送用アンテナ（１００）からの最も低い周波数のデジタル信号を選択する。選択された信号はデジタル復調器１（１０２）に入力され、変調方式に応じた復調処理が行われる。一般には、デジタルＴＶ放送信号は、例えばＯＦＤＭ変調されおり、デジタル復調器（１０２）でＯＦＤＭ復調される。
【０００８】
そこで、正規の信号が放送されていれば、あらかじめ施されたエラー訂正のための処理が行われた後ＭＰＥＧトランスポートストリームとして出力される。復調されたＭＰＥＧトランスポートストリームはＴＳデコーダ１（１０３）にてデコード処理され、ビデオ、オーディオなどのエレメンタリストリームとして出力され、ビデオ・オーディオデコーダ（１０４）にて、ビデオ、オーディオそれぞれの信号が復元される。
【０００９】
ここで、正規の信号が放送されているかどうかの判断は、制御マイコン（３００）がデジタル復調器（１０２）の状態を読むことで正規のデジタル信号が受信されているかどうかを判定できる。具体的には、受信されたデジタル信号の同期が確保できれば正規の信号が放送されていると判断する方法があるが、これに限定されるものではない。
【００１０】
また、ＴＳデコーダ１（１０３）のデータを読むことでその放送局から送られている局名などの情報も得ることができる。このように、放送局名を特定できるか否かで放送の有無を確認することもできる。放送の有無が確認できたら、制御用マイコン（３００）は、チャネル周波数や放送局、チャネル番号などの選局のための情報をメモリ（３０３）に保存する。次に制御用マイコン（３００）は、例えば現在のチャネルと隣接するより高周波の次のチャンネルの選局指示を出す。この動作を全チャンネルにわたって繰り返し、どのチャンネルで放送が実施されているかの情報をメモリ（３０３）に蓄積保存する。
【００１１】
通常使用においては、使用者の選局指示をリモコン信号受信機（３０１）あるいは本体キー（３０２）を通して受け、使用者の希望するチャネルを、記憶したメモリ（３０３）内のデータを参照して、デジタルチューナ１（１０１）に選局指示を出して視聴することが可能となる。
【００１２】
【特許文献１】
特願２００２−２４２５３６号公報
【特許文献２】
特開２００１−６０８４８号公報
【００１３】
【発明が解決しようとする課題】
デジタル放送のチューニングにおいては、上記の如く、正規の信号が受信できているかデジタルデータの内容を確認する必要がある。そのため、一般にそのチャネルにおいて放送がなされているかどうかの判定に時間がかかる。
【００１４】
また、日本の地上波デジタル放送においては放送のモードが複数あり、その組み合わせをすべて試す必要があるため、さらに判定に時間がかかる。よって従来のアナログ放送よりも全チャンネルにわたってチャネルマップを取得するのに時間がかかる。デジタル放送への過渡期において頻繁にチャネルマップを取得しなければならない場合には、視聴者に不便を強いることになる。
【００１５】
また、ビデオ内蔵受信機などで、２チューナを有しているシステムも考えられる。このとき、２つのチューナでサーチを行う場合にも、あるチャネルで放送がある場合と無い場合で判定に時間差が出てしまうため、担当させるチャネル数を固定的に割り当てると、放送されている局の偏りにより、一方だけが長く時間がかかってしまうという問題もある。
【００１６】
本発明は、上記の課題を解決し、チャネルマップの取得を効率よく行うことができる受信機を提供するものである。
【００１７】
【課題を解決するための手段】
本願発明は、上記問題に鑑みなされたものであり、テレビ放送信号を受信する放送受信部と、各放送チャネルと放送種別を関連付けたチャネルマップデータを記憶するメモリを有し、該放送受信部が、複数のデジタル受信部を含んでいて、該チャネルマップデータは、該放送受信部を用いて各チャネルをサーチすることで作成及び／又は更新することができ、上記各デジタル受信部は、全ての放送チャネルを夫々異なる順にサーチして、各チャネル毎にデジタル放送の周波数を判断するための各デジタル判断部を有し、該各デジタルチャネルサーチの結果として上記チャネルマップデータ上に該デジタル放送に関する情報を記憶する事を特徴とする放送受信装置である。
【００１８】
また、テレビ放送信号を受信する放送受信部と、各放送チャネルと放送種別を関連付けたチャネルマップデータを記憶するメモリを有し、該放送受信部が、第一デジタル受信部と第二デジタル受信部を含んでいて、該チャネルマップデータは、該放送受信部を用いて各チャネルをサーチすることで作成及び／又は更新することができ、第一デジタル受信部は、全ての放送チャネルを順にサーチして、各チャネル毎にデジタル放送の周波数を判断するための第一デジタル判断部を有し、該第一デジタルチャネルサーチの結果として上記チャネルマップデータ上に該デジタル放送に関する情報を記憶し、第二デジタル受信部は、全ての放送チャネルを上記第一デジタル受信部とは異なる順序でサーチして、各チャネル毎にデジタル放送の周波数を判断するための第二デジタル判断部を有し、該第二デジタルチャネルサーチの結果として上記チャネルマップデータ上に該デジタル放送に関する情報を記憶する事を特徴とする放送受信装置である。
【００１９】
また、上記第一デジタル受信部は、低周波チャネルから昇順に、上記第二デジタル受信部は、高周波チャネルから降順にチャネルサーチを行なう事を特徴とする放送受信装置でもある。
【００２０】
また、上記第一デジタルチャネルサーチ及び上記第二デジタルチャネルサーチの結果は、各チャネル毎に順次判断結果が得られ、一つのチャネルの判断結果が得られる度に、上記チャネルマップデータにチャネル情報を記憶する事を特徴とする放送受信装置でもある。
【００２１】
さらに、上記両デジタルチャネルサーチにおいて、サーチしようとするチャネルに関するチャネルマップデータを参照し、該チャネルが既に他方のデジタル判断部によりサーチされ、該結果が記憶されている場合、該チャネルサーチを終了するように制御された放送受信装置でもある。
【００２２】
また、上記両デジタル受信部が、受信チャネルを選定するデジタルチューナと選定されたチャネルの信号を復調するデジタル復調器及びＴＳデータ信号を分離処理するＴＳデコーダを含み、デジタル判断部が、デジタル復調器が受信信号の同期を確立できるか否かによってデジタル放送の有無を判定するように動作させることもできる。
【００２３】
さらに、上記デジタル受信部のうちの一方を使用して放送を視聴又は記録している場合、同時にもう一方の受信部を動作させて上記チャネルサーチを行い、上記チャネルマップデータを更新する事もできる。
【００２４】
一方、上記と同様に、テレビ放送信号を受信する放送受信部と、各放送チャネルと放送種別を関連付けたチャネルマップデータを記憶するメモリを有し、該放送受信部が、複数のデジタル受信部を含んでいて、該チャネルマップデータは、該放送受信部を用いて各チャネルをサーチすることで作成及び／又は更新することができ、上記各デジタル受信部は、全ての放送チャネルを夫々異なる順にサーチして、各チャネル毎にデジタル放送の周波数を判断するための各デジタル判断部を有し、該各デジタルチャネルサーチの結果として上記チャネルマップデータ上に該デジタル放送に関する情報を記憶する事を特徴とする放送受信方法でもある。
【００２５】
また、テレビ放送信号を受信する放送受信部と、各放送チャネルと放送種別を関連付けたチャネルマップデータを記憶するメモリを有し、該放送受信部が、第一デジタル受信部と第二デジタル受信部を含んでいて、該チャネルマップデータは、該放送受信部を用いて各チャネルをサーチすることで作成及び／又は更新することができ、第一デジタル受信部は、全ての放送チャネルを順にサーチして、各チャネル毎にデジタル放送の周波数を判断するための第一デジタル判断部を有し、該第一デジタルチャネルサーチの結果として上記チャネルマップデータ上に該デジタル放送に関する情報を記憶し、第二デジタル受信部は、全ての放送チャネルを上記第一デジタル受信部とは異なる順序でサーチして、各チャネル毎にデジタル放送の周波数を判断するための第二デジタル判断部を有し、該第二デジタルチャネルサーチの結果として上記チャネルマップデータ上に該デジタル放送に関する情報を記憶する事を特徴とする放送受信方法でもある。
【００２６】
また、上記第一デジタル受信部は、低周波チャネルから昇順に、上記第二デジタル受信部は、高周波チャネルから降順にチャネルサーチを行なう事を特徴とする放送受信方法でもある。
【００２７】
また、上記第一デジタルチャネルサーチ及び上記第二デジタルチャネルサーチの結果は、各チャネル毎に順次判断結果が得られ、一つのチャネルの判断結果が得られる度に、上記チャネルマップデータにチャネル情報を記憶する事を特徴とする放送受信方法でもある。
【００２８】
さらに、上記両デジタルチャネルサーチにおいて、サーチしようとするチャネルに関するチャネルマップデータを参照し、該チャネルが既に他方のデジタル判断部によりサーチされ、該結果が記憶されている場合、該チャネルサーチを終了するように制御する放送受信方法でもある。
【００２９】
また、上記両デジタル受信部が、受信チャネルを選定するデジタルチューナと選定されたチャネルの信号を復調するデジタル復調器及びＴＳデータ信号を分離処理するＴＳデコーダを含み、デジタル判断部が、デジタル復調器が受信信号の同期を確立できるか否かによってデジタル放送の有無を判定するように動作させることもできる。
【００３０】
さらに、上記デジタル受信部のうちの一方を使用して放送を視聴又は記録している場合、同時にもう一方の受信部を動作させて上記チャネルサーチを行い、上記チャネルマップデータを更新する事もできる。
【００３１】
また、上記の実施例においては、２つのデジタルチューナを使用した場合について記述したが、３つ以上のデジタルチューナを用いて同様に実施しても良い。この場合、デジタルチューナの数にあわせてサーチする周波数範囲を分割して分担して行なうと上記と同様の効果が得られる。
【００３２】
具体的には、例えば３つのデジタルチューナを有する場合は、第１のデジタルチューナは、低周波チャネルから昇順に、第２のデジタルチューナは、高周波から降順に、第３のデジタルチューナは、サーチすべき全周波数帯域の中央１／３の帯域を昇順又は降順にサーチするという方法が考えられるが、これに限定されるものではない。
【００３３】
【発明の実施の形態】
以下、本発明の一実施例を、図面に沿って具体的に説明する。
【００３４】
本発明のハードウェア構成は、図２に示す従来技術と同様であり、上で説明したため、ここでは説明を省略する。
【００３５】
次に、図２におけるハードウェアを使ってチャネルサーチを行なうためのフローチャートを図１を使って説明する。このフローチャートは、制御用マイコン（３００）によって処理される。
【００３６】
図１（Ａ）に本発明における第１のチューナによるチャネルサーチのフローチャートを示す。また、図１（Ｂ）に本発明における第２のチューナによるチャネルサーチのフローチャートを示す。
【００３７】
チャネルサーチが開始されると（ｓ１０１）、制御用マイコン（３００）は、メモリ（３０３）内に保存されている旧チャネルマップをクリアする（ｓ１０２）。さらに制御用マイコン（３００）は、第１のチューナ（１０１）に受信可能な最低周波数のチャネルの選定指示を与え（ｓ１０３）、第２のチューナ（２０１）には受信可能な最高周波数のチャネルの選定指示を与える（ｓ２０３）。
【００３８】
第１のチューナ（１０１）は、指定されたチャネルに設定されて放送信号を受信する（Ｓ１０４）。受信された放送信号は、デジタル復調器（１０２）にて復調され、ＴＳデコーダ（１０３）によりデータ分離処理される。この時、復調器のステータスより、同期が確保できるかどうか及びＴＳデコーダ出力データから放送局を認識できるかどうかによって、放送の有無を判定する（ｓ１０５）。
【００３９】
放送が有る場合（同期が確認でき、放送局が認識できる場合）、現在のチャネルがデジタル放送であり、どの放送局の放送がなされていて、どのような変調方式を使用しているのかなどのチャネル情報を、メモリ（３０３）内のチャネルマップに記憶する（ｓ１０６）。
【００４０】
放送が無い場合（同期が確認できず、放送局が認識できない場合）、現在のチャネルにて放送がなされていないことを、メモリ（３０３）内のチャネルマップに記憶する（ｓ１０７）。
【００４１】
次に、制御用マイコン（３００）は、現チャンネルに隣接する高周波のチャネルの選定指示を与える。ここで、新たに設定指示されたチャネルが、メモリ（３０３）内のチャネルマップ上で、すでにサーチが終了しているかどうか（放送が有る、あるいは無いの判定が済んでいる）を確認する（ｓ１０８）。
【００４２】
すでに判定が終了しているのであれば、これは後述する第２のチューナによってすでに放送の有無が判定済みのチャネルであることになり、すべてのチャネルのサーチが終了していることを示す。よって第１のチューナはサーチを終了する（ｓ１１０）。
【００４３】
判定が終了していなければ、制御用マイコン（３００）は、第１のチューナ（１０１）に、現チャンネルに隣接する高周波のチャネルの選定指示を与える（ｓ１０９）。
【００４４】
一方、第２のチューナ（２０１）は、指定されたチャネルに設定されて放送信号を受信する（Ｓ２０４）。受信された放送信号は、デジタル復調器（２０２）にて復調され、ＴＳデコーダ（２０３）によりデータ分離処理される。この時、復調器のステータスより、同期が確保できるかどうか及びＴＳデコーダ出力データから放送局を認識できるかどうかによって、放送の有無を判定する（ｓ２０５）。
【００４５】
放送が有る場合（同期が確認でき、放送局が認識できる場合）、現在のチャネルがデジタル放送であり、どの放送局の放送がなされていて、どのような変調方式を使用しているのかなどのチャネル情報を、メモリ（３０３）内のチャネルマップに記憶する（ｓ２０６）。
【００４６】
放送が無い場合（同期が確認できず、放送局が認識できない場合）、現在のチャネルにて放送がなされていないことを、メモリ（３０３）内のチャネルマップに記憶する（ｓ２０７）。
【００４７】
次に、制御用マイコン（３００）は、現チャンネルに隣接する低周波のチャネルの選定指示を与える。ここで、新たに設定指示されたチャネルが、メモリ（３０３）内のチャネルマップ上で、すでにサーチが終了しているかどうか（放送が有る、あるいは無いの判定が済んでいる）を確認する（ｓ２０８）。
【００４８】
すでに判定が終了しているのであれば、これは前述の第１のチューナによってすでに放送の有無が判定済みのチャネルであることになり、すべてのチャネルのサーチが終了していることを示す。よって第２のチューナはサーチを終了する（ｓ２１０）。
【００４９】
【発明の効果】
本発明は、テレビ放送信号を受信する放送受信部と、各放送チャネルと放送種別を関連付けたチャネルマップデータを記憶するメモリを有し、該放送受信部が、第一デジタル受信部と第二デジタル受信部を含んでいて、該チャネルマップデータは、該放送受信部を用いて各チャネルをサーチすることで作成及び／又は更新することができ、第一デジタル受信部は、全ての放送チャネルを順にサーチして、各チャネル毎にデジタル放送の周波数を判断するための第一デジタル判断部を有し、該第一デジタルチャネルサーチの結果として上記チャネルマップデータ上に該デジタル放送に関する情報を記憶し、第二デジタル受信部は、全ての放送チャネルを上記第一デジタル受信部とは異なる順序でサーチして、各チャネル毎にデジタル放送の周波数を判断するための第二デジタル判断部を有し、該第二デジタルチャネルサーチの結果として上記チャネルマップデータ上に該デジタル放送に関する情報を記憶する事を特徴とする放送受信装置である。
【００５０】
上記の本発明によれば、デジタル放送のチャネルサーチを効率よく行い、チャネルサーチ時間を短縮し、使用者に使い勝手の良い受信機を提供することが可能となる。また、ビデオ内蔵受信機などで、２チューナを有しているシステムにおいては、新たにチューナを追加する必要もなく、容易に実現可能である。
【図面の簡単な説明】
【図１】（Ａ）本発明の第１のチューナによるチャネルサーチのフローチャート
（Ｂ）本発明の第２のチューナによるチャネルサーチのフローチャート
【図２】本発明による放送受信装置のブロック図
【符号の説明】
１００　　　　　　アンテナ
１０１　　　　　　第１のデジタルチューナ
１０２　　　　　　第１のデジタル復調器
１０３　　　　　　第１のＴＳデコーダ
１０４　　　　　　ビデオ・オーディオデコーダ
２０１　　　　　　第２のデジタルチューナ
２０２　　　　　　第２にデジタル復調器
２０３　　　　　　第２のＴＳデコーダ
３００　　　　　　制御用マイコン
３０１　　　　　　リモコン受信部
３０２　　　　　　本体キー
３０３　　　　　　メモリ
４０１　　　　　　リモコン
【図１】
2004112079.tif 000003
【図２】
2004112079.tif 000004